【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
三角形の基底を有する少なくとも１つの第１中央透明プリズムと、第２透明プリズムとを備え、立体写真を視覚化する自動立体視システムにおいて、
上記システムがさらに第３透明プリズムを備え、
上記第２透明プリズム及び上記第３透明プリズムが、上記少なくとも１つの第１プリズムの第１の面に配置されるとともに同一形状を有し、
上記立体写真が、２つの分割体、すなわち、左分割体（Ａ）と右分割体（Ｂ）に分割された左側の写真／像と、２つの分割体、すなわち、左分割体（Ｃ）と右分割体（Ｄ）に分割された右側の写真／像とを有し、
上記左側の写真／像の上記左分割体（Ａ）と上記右側の写真／像の上記右分割体（Ｄ）とが、上記少なくとも１つの第１プリズムの第２の面に配置され、
上記少なくとも１つの第１プリズムと上記第２プリズムと上記第３プリズムとがプリズム本体を形成することにより、ユーザの眼が、適切な角度でプリズム本体の上面の正面に配置される場合には、上記眼は上記プリズム本体の上記上面を介して対応する立体写真を視覚化し、上記写真／像の３次元の視覚効果が再生される、
ことを特徴とする自動立体視システム。
【請求項２】
上記第１プリズムと上記第２プリズムと上記第３プリズムとが長方形プリズム本体を形成し、上記長方形プリズム本体において、上記第１プリズムが長さの等しい少なくとも２つの側面を有し、上記第２プリズム及び上記第３プリズムが上記面上に配置され、上記第２プリズムと上記第３プリズムとが直角三角形の基底を有する、
ことを特徴とする請求項１記載の自動立体視システム。
【請求項３】
上記第１プリズムの２つの側面をつなぐ縁部が、長方形プリズム本体の上面に対向し、上記上面が第２プリズムの１つの面と、第３プリズムのもう１つの面とにより構成され、上記２つの面が面一に配置されることを特徴とする請求項２記載の自動立体視システム。
【請求項４】
分割体Ａ，Ｂ，Ｃ，ＤがＣ、Ａ、Ｄ、Ｂの順に配置され、分割体ＣとＢとが反転されることを特徴とする請求項３記載の自動立体視システム。
【請求項５】
分割体Ａが、第１プリズムの下面の下側左半分に配置され、
分割体Ｄが、第１プリズムの下面の下側右半分に分割体Ａの隣に配置され、
分割体Ｃが、分割体Ａに垂直な面に配置されるとともに第２プリズムの側面の下側部分に位置付けられ、
分割体Ｂが、分割体Ｄに垂直な面に配置されるとともに第３プリズムの側面の下側部分に位置付けられる、
ことを特徴とする請求項４記載の自動立体視システム。
【請求項６】
分割体Ｃ，Ａ，Ｄ，Ｂが、面一に配置されることを特徴とする請求項３記載の自動立体視システム。
【請求項７】
分割体ＣとＢとが、第２プリズムと第３プリズムの側面に投影されることを特徴とする請求項６記載の自動立体視システム。
【請求項８】
分割体ＣとＢとが、複数の光ファイバによって投影されることを特徴とする請求項７記載の自動立体視システム。
【請求項９】
分割体ＣとＢとが、凹面鏡により投影され、
レンズが、第２プリズム及び第３プリズムの側面に位置付けられる拡散ガラススクリーン上に像を投影する凹面鏡の方へ像を指向させるように分割体ＣとＢ上に配置されることを特徴とする請求項７記載の自動立体視システム。
【請求項１０】
分割体ＡとＤが、凹面鏡により引き起こされる効果を補正し、３次元に正確に視覚化することを可能にするために分割体ＣとＢに比べて縮小された大きさを有することを特徴とする請求項９記載の自動立体視システム。
【請求項１１】
上記像が、平面鏡によって投影されることを特徴とする請求項７記載の自動立体視システム。
【請求項１２】
上記第１プリズムが、２つの対称なプリズムの半割体を備え、
長方形プリズム本体の上面が、２つのプリズムの半割体の面を備えていることを特徴とする請求項２記載の自動立体視システム。
【請求項１３】
上記写真の分割体Ｃ、Ａ、Ｄ、Ｂが、上記写真の分割体が折り曲げられるように折り曲げ可能な表面に配置され、第１プリズムを形成する半割体が、第１プリズムを構成する半割体の内面に分割体ＡとＤを配置するため及び長方形プリズム本体の内面に分割体ＣとＢを配置するために分割され、それにより、分割体Ｃが第２プリズムの下面に配置され、分割体Ｂが第３プリズムの下面に配置されることを特徴とする請求項４及び１２のいずれかに記載の自動立体視システム。
【請求項１４】
上記第１プリズムが、長さの等しい少なくとも２つの辺を有する側面を備えた三角形の基底を有する中央プリズムであり、上記第２プリズム及び第３プリズムが長さの等しい辺を含む面上に配置され、その両方のプリズムは基底が長斜方形の等しい形状であり、それにより、分割体Ｃが第２プリズムの下面に配置され、分割体Ｂが第３プリズムの下面に配置され、分割体ＡとＤとが中央プリズムの下面に位置付けられることを特徴とする請求項２及び６のいずれかに記載の自動立体視システム。
【請求項１５】
上記分割体Ｃ、Ａ、Ｄ、Ｂが、テープ上に配置され、上記テープが、モータの制御を用いて複数の駆動制御装置に作用することにより複数の立体写真を視覚化するために、制御回路により制御されるモータにより引っ張られることを特徴とする前請求項のいずれかに記載の自動立体視システム。
【請求項１６】
上記分割体Ｃ、Ａ、Ｄ、Ｂが、ビデオ、コンピュータ又はテレビ画面上に見られるようにすることを特徴とする請求項３及び６のいずれかに記載の自動立体視システム。
【請求項１７】
上記システムが、上記分割体Ｃ、Ａ、Ｄ、Ｂの３次元の視覚効果を生じさせるために、画面上にプリズムの組を固定する固定手段を有することを特徴とする請求項１６記載の自動立体視システム。
【請求項１８】
上記システムが、上記分割体Ｃ、Ａ、Ｄ、Ｂを明るくする照明手段を有することを特徴とする前請求項のいずれかに記載の自動立体視システム。
【請求項１９】
上記照明手段が、白色光ダイオードを有することを特徴とする請求項１８記載の自動立体視システム。
【請求項２０】
上記プリズム本体の上面が、上記分割体Ｃ、Ａ、Ｄ、Ｂの結合を調整し、３次元に像を拡大させ、プリズムの縁部の視覚化を排除し、視覚的に捉える位置を調節するレンズを備えていることを特徴とする前請求項のいずれかに記載の自動立体視システム。
【請求項２１】
上記システムが、観測者に上記上面の正面に自分自身の位置を定めさせるために、外側の視覚を暗くする方向フィルタを有することを特徴とする前請求項のいずれかに記載の自動立体視システム。
【請求項２２】
上記システムが、長方形プリズム本体の上面に対してユーザの外れた位置を検出する検出手段と、長方形プリズム本体の上面の正面にユーザの眼を配置する複数の光学手段を変位させる移動手段と、を有することを特徴とする前請求項のいずれかに記載の自動立体視システム。
【請求項２３】
上記ユーザの外れた位置を検出する検出手段が、制御回路から光学手段を変位させるサーボモータの機能を制御し、少なくとも１つのセンサを有することを特徴とする請求項２２記載の自動立体視システム。
【手続補正２】
【補正対象書類名】明細書
【補正対象項目名】全文
【補正方法】変更
【補正の内容】
【発明の詳細な説明】
【発明の名称】自動立体視システム
【発明の詳細な説明】
【０００１】
発明の目的
本発明は、立体写真の写真／像を視覚化する自動立体視システムを有し、上記自動立体視システムは、最適化寸法を有し低価格である透明プリズムに基づいて、立体写真の３次元の視覚効果を再生可能にする。
【０００２】
発明の背景
各々の立体的な写真又は像を眼の片方だけで捉えることにより３次元の視覚効果が得られるように、立体的な写真又は像を得ることが、従来技術で知られている。
【０００３】
この点について、異なる複雑さを備えた様々な形式の装置の使用が知られており、その１つの実施例は、補色のフィルタから作られる単レンズ(simple glasses)又は各々の眼に対応する像が独立して投影される複合レンズ(complex glasses)を使用する場合である。
【０００４】
本発明は、３次元の視覚効果を生じさせるために、眼の片方だけにより各々の写真を捉えることができるレンズ及び／又は鏡を使用する装置に関する。
【０００５】
発明の説明
プリズムを使用することにより立体写真の写真／像の自動立体視を実現するために、本発明の基本構造は、それが、三角形の基底を備え、少なくとも１つの第２透明プリズムが配置される第１透明プリズムを有しており、上記プリズムの組合せが立体写真上に配置されるプリズム本体を構成し、該プリズム本体に関して適切な角度でかつ２メートル以上離れてプリズム本体の上面の正面にユーザ(user)の眼の位置を定めた場合には、各々の眼がプリズム本体の上面を介して対応する立体写真を捉え、それにより、写真／像の３次元の視覚効果を再生することを特徴としている。
【０００６】
本発明の１つの実施形態では、第１プリズムが長さの等しい少なくとも２つの辺を備えた側面を有する三角形の基底を備えた中央プリズム(central prism)であり、それらの側面を成す面上に第２透明プリズムと第３透明プリズムとが配置され、その両方のプリズムは、基底が直角三角形により構成される同一の形状を示している。
【０００７】
この構造は、中央プリズム本体の２つの長さの等しい辺を備えた側面をつなぐ縁部が長方形プリズム本体の上面に対向するように配置され、それにより上記上面は第２プリズムの１つの面と第３プリズムのもう１つの面とにより構成され、その両方が面一になるように配置される。
【０００８】
立体写真の３次元の視覚効果の再生を実現するために、写真／像は２等分に分割され、左側の写真／像が左分割体Ａと右分割体Ｂとで構成され、右側の写真／像が左分割体Ｃと右分割体Ｄとで構成され、これらの分割体(二等分体：half)が以下の順序Ｃ、Ａ、Ｄ、Ｂの順に配置され、分割体ＡとＢとが反転される、つまり分割体ＡとＢの像がその反対側の面から見られるように反転される。
【０００９】
本発明の１つの実施形態では、分割体Ａが第１プリズムの下面の下側左半分に配置され、分割体Ｄが第１プリズムの下面の下側右半分に分割体Ａの隣に配置され、分割体Ｃが分割体Ａに垂直な面に配置されるけれども第２プリズムの側面の下側部分に位置付けられるために反転され、分割体Ｂが分割体Ｄに垂直な面に配置されるけれども第３プリズムの側面の下側部分に位置付けられるために反転される。
【００１０】
上記構造により立体写真を立体的に見えるようにすることを可能にするために、分割体Ｃ、Ａ、Ｄ、Ｂが、折り曲げ可能な表面に配置されるように設けられ、中央プリズムを構成する半割体の内面に分割体ＡとＤとを位置付けるために中央プリズムを構成する半割体が折り曲げられ分離され、分割体ＣとＤとが第２及び第３プリズムの各々の面の１つにより形成される長方形プリズム本体の下面に位置付けられる、つまり分割体Ｃが第２プリズムの下面に配置され、分割体Ｄが第３プリズムの下面に配置される。
【００１１】
分割体ＡとＤとに垂直な面に分割体ＢとＣとを配置することが記載されているが、それらのすべてが面一に配置される可能性もまた存在し、その場合には、分割体ＣとＤとが、第１及び第２プリズムの側面に投影される。
【００１２】
本発明の１つの実施形態では、分割体ＣとＤの投影が複数の光ファイバによって行われ、本発明のもう１つの実施形態では、これらの分割体が凹面鏡によって投影される。この後者の場合には、分割体ＡとＤは、凹面鏡の効果を補正し３次元的に正確に視覚化することを可能にするために、分割体ＣとＢに比べて縮小された大きさを示す。
【００１３】
平面鏡によって像を投影する可能性もまたある。
【００１４】
長方形プリズム本体の１つの実施形態では、上記プリズム本体を構成する中央プリズムが、２つの対称なプリズムの半割体からもたらされ、この場合には、上記長方形プリズム本体の上面が、中央プリズムの２つの半割体により構成される。
【００１５】
本発明のもう１つの実施形態では、第１プリズムが、長さの等しい少なくとも２つの辺を備えた側面を有する三角形の基底を備えた中央プリズムであり、第２プリズム及び第３プリズムが、これらの辺を含む面上に配置され、その両方のプリズムは、基底が長斜方形の同一の形状から成るという特有の特徴を備えており、この場合には、分割体Ｃ及びＢが第２及び第３プリズムの１つの面に位置付けられ、分割体Ａ及びＤが中央プリズムの１つの面に位置付けられ、かつすべての分割体が面一に配置されるように位置付けられる。
【００１６】
平面鏡を使用した１つの実施例は、中央プリズムの１つの面がプリズムの組の上面を構成する形態をなし、鏡が第２及び第３プリズムの側面に続いて外側に配置され、分割体ＣとＢとがそれぞれ上記鏡の下に位置付けられ、分割体ＡとＤとが中央プリズムの１つの面に位置付けられる。
【００１７】
記載されているすべての実施形態においては、立体写真の写真／像又はそれらを構成する異なる分割体Ｃ、Ａ、Ｄ、Ｂが、テープ上に配置される可能性があり、上記テープは、モータ(motor)の制御を用いていくつかのドライブモジュール(drive module)に作用することにより複数の立体写真を連続して視覚化するために、制御回路により制御されるモータで引っ張られる。
【００１８】
立体写真の写真／像又はそれらを構成する分割体Ｃ、Ａ、Ｄ、Ｂが、画面上に見られるようにする可能性もまた存在し、その場合には、立体的な写真／像又はそれらを構成する分割体が面一に位置付けられる上記装置のいずれにも適用可能である。この実施形態では、立体写真の写真／像の３次元の視覚効果を生じさせるために、プリズムの組を画面に固定する手段が設けられている。
【００１９】
更に、記載されている各々の実施形態では、例えば、白色光を生じるダイオードを用いる立体的な写真／像の照明手段が組み込まれている。
【００２０】
記載されているすべての実施形態に共通のもう１つの特徴は、プリズム本体の上面で立体的な写真／像の分割体の結合を調節し、３次元に像を拡大させ、プリズムの縁部の視覚化を排除し、視覚的に捉える位置を調節するいくつかのレンズが設けられることである。
【００２１】
また、すべての実施形態では、自分自身をプリズム本体の上面の正面に配置することを容易にする方向フィルタが組み込まれ、これにより、フィルタの中央領域の外側で像が暗くなり、見られるものは３次元の形態だけであるため、観測者が直ちに３次元において効果の位置を見つけ得る。
【００２２】
本発明は、任意で、長方形プリズム本体の上面に対してユーザの外れた位置を検出する手段と、長方形プリズム本体の上面の正面にユーザの眼を配置するためにいくつかの光学手段を変位させる手段とを有することもまた述べられ得る。
【００２３】
本発明の１つの実施形態では、ユーザの外れた位置を検出する手段は、制御回路を根幹として、光学手段を変位させるサーボモータの機能を制御する少なくとも１つのセンサにより規定される。
【００２４】
センサは、例えば、赤外線又は超音波センサであってもよい。
【００２５】
光学手段は、ビデオカメラに使用される形式のレンズ又は可変プリズムによって規定される。
【００２６】
本発明のもう１つの実施形態では、光学手段が、長方形プリズム本体そのものにより規定され、サーボモータが、上記本体の上面の正面にユーザの眼の位置を定めるために上記本体の変位を制御する。
【００２７】
この記述のより良い理解及びその必須部分の構成を容易にするために、単に説明のためであり、これに制限するためでなく、本発明の目的が表される一連の図が以下に添付される。
【００２８】
発明の好ましい実施形態の説明
添付図面に基づき本発明の説明が以下に与えられる。
【００２９】
写真３と４とが同じ光源レベル(light level)を有することを実現するために、例えば、スイッチ７を介して対応するバッテリ６により給電され得る白色光のダイオード５から成る照明手段が設けられる。
【００３０】
更に、３次元効果の成果を最適化するために、レンズ８がプリズム本体の上面を成す第２プリズム２の上面に設けられ、これにより、上記レンズは、ユーザの観察位置を可変とすることに加えて、プリズム本体の内側の縁部の映像を除去すると同時に３次元の像を拡大する。ユーザの観察位置は、透明プリズムの製造に用いられる材料次第で変化する。観測者の位置をプリズム本体の上面に中心にくるように合わせることを助勢する方向フィルタ９が、レンズ８上方に設けられる。上記フィルタは、外側の視覚を暗くし、これにより、観測者が３次元効果の迅速な視覚化を得ることを助勢し、その結果、システムの機能をよく知らない人についてさえ、３次元効果を知覚するためにプリズム本体の上面に対向して自分自身が位置することが容易になる。方向フィルタ９によりフロント角(フロントアングル：front angle)の外側では像が暗くなり見えないので、ビューファインダ(viewfinder)が排他的に３次元形態の像を表す。
【００３１】
図１は、第１プリズムが、２つの等しい辺を有する側面を備えた三角形の基底を有する中央プリズム１０から成り、上記プリズムに第２プリズム１１と第３プリズム１２が配置されているもう１つの実施例が示されている。この場合には、以下に記述されるように、２つのレンズ８ａが、３次元効果の再生を実現するために１つのレンズの代わりに使用される。この図では、照明装置は、簡略化のために表されていない。
【００３２】
図１の装置により３次元の再生を実現するために、写真３と４とが、２つの等しい半分に分割される必要がある。従って、左側の写真３が左二等分体Ａと右二等分体Ｂとに分割され、右側の写真４が左二等分体Ｃと右二等分体Ｄとに分割されている。
【００３３】
更に、それらの二等分体は、二等分体ＣとＢとが反転され、つまり長手方向軸に関して１８０°回転された特別な特徴を備えて、以下の順、つまりＣ、Ａ、Ｄ、Ｂの順に配列される(図３)。
【００３４】
図１の装置によって３次元的に視覚化することを実現するために、反転された二等分体ＣとＢとは、図４に示されるように、第２プリズム１１と第３プリズム１２の側壁に配置され、これにより、左眼１３が二等分体Ａと二等分体Ｂとを捉える。しかしながら、プリズムの効果により反転されるために、この二等分体は初めから反転されて配置されるべきである。同様に、右眼１４は、二等分体ＤとＣとを捉え、３次元の視覚効果が再生される。この効果は、２つのレンズ８ａを有することにより改良され、各々のレンズは、各々の眼で捉えられる互いに対応した二等分体が結合することを容易にする。
【００３５】
図４及びそれ以降は、それらの図を簡略化するために、照明要素も、レンズも、方向フィルタも有していないが、上記の要素は、初めに記述されたように３次元効果を改良するので、本発明の実施形態のすべてに配置される。
【００３６】
図５は、第２プリズム２と第３プリズム３とが長斜方形の基底を有する１つの実施例を示している。この実施例では、二等分体ＡとＤとが第１プリズム１０の下面に配置され、二等分体ＣとＢとがそれぞれ、第２及び第３プリズムの新しい構成による効果のために、反転されることなく第２及び第３プリズムの下面に配置されている。
【００３７】
図６は、図４の構造を使用するもう１つの可能な実施例を示しており、図６では、二等分体Ｃ、Ａ、Ｄ及びＢが図５の実施形態と同一の形態で配置され、第２プリズム１１及び第３プリズム１２の側壁上に二等分体ＣとＤの投影を生じさせる鏡１６、１７がまた追加されている。
【００３８】
図７は、図６の実施例と同様の実施例を示しているが、この場合には、第２プリズム１１及び第３プリズム１２の側面に二等分体ＣとＢの投影がそれぞれ、光ファイバ１８を用いてもたらされる。
【００３９】
図８は、図７の実施例に相当するもう１つの可能な実施例を表しているが、この場合には、第２プリズム１１及び第３プリズム１２の側壁に二等分体ＣとＢの投影がそれぞれ、凹面鏡１９を用いてもたらされる。この場合には、使用する二等分体の立体写真の形態は、図９に表される形態であり、図９では、凹面鏡が像を縮小するので凹面鏡により引き起こされる効果を補正するために、二等分体ＡとＤは、二等分体ＣとＢより小さい大きさを有する。
【００４０】
図８の実施例では、二等分体ＣとＢの上に位置付けられるレンズ２１が使用されており、また、上記投影を助長する拡散ガラススクリーン(diffused glass screen)２０が設けられている。
【００４１】
図１０は、中央プリズム１０が２つの対称な半割体１０ａと１０ｂとに分割されるもう１つの可能な実施例を示しており、長方形プリズムユニットが反転されている。つまりこの場合には、長方形プリズム本体の上面が対称な半割体１０ａと１０ｂのそれぞれの１つの面から成る。
【００４２】
この実施形態は、例えば、雑誌の表面のように折り曲げ可能な表面２５に印刷された写真を視覚的に捉えることを可能にする目的を有し、これにより、第２プリズム１１及び第３プリズム１２の下面にそれぞれ二等分体Ｃ及びＢを配置すると同時に、中央プリズムを構成する半割体の内面に二等分体ＡとＤとを配置するために半割体１０ａと１０ｂの分離が可能とされ、その結果、３次元の視覚効果が、上記体裁に従った雑誌、新聞等に印刷される写真に基づき再生される。
【００４３】
図１１に示されるように、像が画面２３に投影される可能性がまた存在し、その場合には、第２及び第３プリズムの側面に投影を行うために上記方法のいずれが用いられてもよいが、立体写真の二等分体がいつでも同じ面に存在しなければならないことは明らかである。この実施例では、プリズムが画面２３上に固定手段２４を備えており、これにより３次元的に見えるようにすることが助長される。
【００４４】
図１１の特定の実施例では、固定手段２４が、図８の実施形態に示したプリズムを支持している。
【００４５】
立体写真又はそれらを構成する異なる二等分体Ｃ、Ａ、Ｄ、Ｂの写真が、テープ２２を形成して結合される可能性がある。上記テープは、いくつかのドライブモジュールに作用するモータの前進／巻戻しによって複数の立体写真を視覚化するために、制御回路(図に表されていない)により制御されるモータで引っ張られる。
【００４６】
図１２に示した実施例は、図１と４とに表された実施例に対応するが、明らかに、この機能の考え方は、記述されているあらゆる実施例にも適用され得る。
【００４７】
図１３は、サーボモータ２７に結合されるレンズ２６を有する実施例を示しており、上記サーボモータは、対応するバッテリ３０により給電される制御回路２９で制御され、上記制御回路はまた、２つの赤外線センサ２８に結合される。
【００４８】
レンズ２６は、プリズムの上面の正面に位置付けられ、この実施例においては、上記レンズは、ユーザが横の位置から３次元効果を見えるようにするために側方に配置されている。ユーザが上記上面の正面にいないけれども代わりにその一方の側にいるならば、この位置が赤外線センサ２８により検出され、これにより、ユーザの眼がプリズムの上記上面の正面に留まるようにレンズ２６を位置付けるために、制御回路２９がサーボモータ２７の機能を制御し、３次元の視覚効果を得る。
【００４９】
明らかに、上記センサは、例えば、超音波等のようなあらゆる他の形式であってもよく、上記レンズは、ビデオカメラに使用される種類の可変プリズムであるような他の種類の光学装置から構成されてもよい。また明らかに、ユーザの眼の位置に対してプリズムの位置を制御するためにサーボモータが設けられてもよい。
【図面の簡単な説明】
【００５０】
【図１】３次元像をもたらすために、３つのプリズムが使用される本発明の１つの可能な実施例の斜視図である。
【図２】立体写真の写真／像の２つの二等分体への分割を示す説明図である。
【図３】立体写真の写真／像を３次元的に再生し得るための立体写真の写真／像の異なる二等分体の配置を示す図である。
【図４】３次元的に見えることを可能とするために、立体写真の写真／像の二等分体が付け加えられた図１の概略側面図である。
【図５】３次元的に見えることを可能とするために、立体写真の写真／像の二等分体の配置とともに本発明のもう１つの可能な実施例の概略斜視図である。
【図６】鏡が立体写真の外側の二等分体の像を反射するために使用される本発明のもう１つの可能な実施例の側面図である。
【図７】立体写真の外側の二等分体の像が第１及び第２プリズムの外側の面上に光ファイバによって投影されるもう１つの実施例を示す説明図である。
【図８】凹面鏡が立体写真の外側の二等分体の像を投影するために使用されるもう１つの実施例の概略側面図である。
【図９】前図の実施例に従って、視覚化するために立体写真の写真／像の二等分体の構造を示す説明図である。
【図１０】第１プリズムが、例えば、雑誌、新聞等のような折り曲げ可能な表面の部分を形成する写真を視覚的に捉えることを可能とするために、２つの対称なプリズムを有するもう１つの実施例を示す説明図である。
【図１１】画面に投影される像を３次元的に見えることが可能とされる１つの実施例を示す説明図であり、上記画面にプリズムを固定する手段が設けられる。この特定の実施例では、固定手段は、図８に表されるユニットの支持用である。
【図１２】立体写真の写真／像又はそれらの二等分体が、複数の立体写真の写真／像を連続して視覚化することを可能にするために、モータの前進／巻戻しによってモータにより引っ張られるテープ上に結合される本発明の１つの実施例を示す説明図である。
【図１３】長方形プリズム本体の上面に対してユーザの外れた位置を検出する手段と、長方形プリズム本体の上面の正面にユーザの眼の位置を定めるレンズを変位させる手段とを有する１つの実施例の概略斜視図である。この実施例では、１つの横の位置から見えるようにするために上面が１つの側の方へ配置されることが表されている。
【図１４】ユーザの眼の前で横の位置の方へ上面を合わせるレンズの変位機構の概略図である。
【手続補正３】
【補正対象書類名】図面
【補正対象項目名】全図
【補正方法】変更
【補正の内容】
【図１】
2004533650.tif 000001
【図２】
2004533650.tif 000002
【図３】
2004533650.tif 000003
【図４】
2004533650.tif 000004
【図５】
2004533650.tif 000005
【図６】
2004533650.tif 000006
【図７】
2004533650.tif 000007
【図８】
2004533650.tif 000008
【図９】
2004533650.tif 000009
【図１０】
2004533650.tif 000010
【図１１】
2004533650.tif 000011
【図１２】
2004533650.tif 000012
【図１３】
2004533650.tif 000013
【図１４】
2004533650.tif 000014